(57)【要約】【課題】含有する材料による輝度の相違、及び照明の点灯や消滅による輝度の変化を活用して装飾的な効果を生じさせる蓄光剤及び蛍光顔料を含有した発光体、及び発光体から構成される発光体群を提供する。【解決手段】第１樹脂５に蓄光剤８及び蛍光顔料９を含有させた第１発光体２、第２樹脂６に蓄光剤８のみを含有させた第２発光体３、及び第３樹脂７に粉体状の蛍光顔料９のみを含有させた第３発光体４が集合して発光体群１を構成し、暗所においてブラックライト１１により照射すると、ブラックライト１１の点灯時には、第１発光体２が第２発光体３よりも高い輝度で発光し、第３発光体４が第１発光体２と第２発光体３との中間の輝度で発光し、ブラックライト１１の消灯により、第１発光体２と第２発光体３との輝度が略同じとなり第３発光体４の発光が消滅する。【選択図】図１
2011096591.tif 000002
【特許請求の範囲】
【請求項１】
第１の樹脂に蓄光剤及び蛍光顔料を含有させた第１の発光体と、
第２の樹脂に蓄光剤のみを含有させた第２の発光体と、
を含み、各発光体が集合して発光体群を構成し、
暗所において、発光体群は、紫外線を放射するブラックライトにより照射され、
ブラックライトが点灯している際には、第１の発光体が第２の発光体よりも高い輝度で発光し、
ブラックライトが消灯されると、第１の発光体と第２の発光体との輝度が略同じとなることを特徴とする蓄光剤及び蛍光顔料を含有した発光体から構成される発光体群。
【請求項２】
請求項１に記載の蓄光剤及び蛍光顔料を含有した発光体から構成される発光体群であって、第３の樹脂に蛍光顔料のみを含有させた第３の発光体を含み、第３の発光体は、暗所において、紫外線を放射するブラックライトにより照射され、ブラックライトが点灯している際には、第１の発光体と第２の発光体との中間の輝度で発光し、ブラックライトが消灯されると発光が消滅することを特徴とする蓄光剤及び蛍光顔料を含有した発光体から構成される発光体群。
【請求項３】
請求項１又は２に記載の蓄光剤及び蛍光顔料を含有した発光体から構成される発光体群であって、発光体群を構成する発光体は、それぞれブロックとして平面的又は立体的に組み立てられることを特徴とする蓄光剤及び蛍光顔料を含有した発光体から構成される発光体群。
【請求項４】
請求項１乃至３のいずれか１に記載の蓄光剤及び蛍光顔料を含有した発光体から構成される発光体群であって、第１の発光体は、第１の樹脂に蓄光剤を略均一に混入させた後に蛍光顔料を添加し、紫外線を放射するブラックライトを照射した際に、輝度の差異による模様を現出させることを特徴とする蓄光剤及び蛍光顔料を含有した発光体から構成される発光体群。
【請求項５】
第１の樹脂に蓄光剤及び蛍光顔料を含有させた第１の発光体要素と、
第２の樹脂に蓄光剤のみを含有させた第２の発光体要素と、
を含み、各発光体要素が一体として１つの発光体を形成し、
暗所において、発光体は、紫外線を放射するブラックライトにより照射され、
ブラックライトが点灯している際には、第１の発光体要素が第２の発光体要素よりも高い輝度で発光し、
ブラックライトが消灯されると、第１の発光体要素と第２の発光体要素との輝度が略同じとなることを特徴とする蓄光剤及び蛍光顔料を含有した発光体。
【請求項６】
請求項５に記載の蓄光剤及び蛍光顔料を含有した発光体であって、第３の樹脂に蛍光顔料のみを含有させた第３の発光体要素を含み、第３の発光体要素は、暗所において、紫外線を放射するブラックライトにより照射され、ブラックライトが点灯している際には、第１の発光体要素と第２の発光体要素との中間の輝度で発光し、ブラックライトが消灯されると発光が消滅することを特徴とする蓄光剤及び蛍光顔料を含有した発光体。
【請求項７】
請求項５又は６に記載の蓄光剤及び蛍光顔料を含有した発光体であって、各発光体要素は、層状に積重ねられ、一体として１つの発光体を形成することを特徴とする蓄光剤及び蛍光顔料を含有した発光体。
【請求項８】
請求項５乃至７のいずれか１に記載の蓄光剤及び蛍光顔料を含有した発光体であって、第１の発光体要素は、第１の樹脂に蓄光剤を略均一に混入させた後に蛍光顔料を添加し、紫外線を放射するブラックライトを照射した際に、第１の発光体要素に輝度の差異による模様を現出させることを特徴とする蓄光剤及び蛍光顔料を含有した発光体。
【発明の詳細な説明】
【技術分野】
【０００１】
本発明は、蓄光剤及び蛍光顔料を含有した発光体、及び発光体から構成される発光体群に係り、特に、蓄光剤の蓄光性、及び蛍光顔料の蛍光性を利用した蓄光剤及び蛍光顔料を含有した発光体、及び発光体から構成される発光体群に関する。
【背景技術】
【０００２】
蓄光とは、物質に対して紫外線や可視光線などの励起光が消滅した後も一定時間物質が発光を続ける特性をいう。また、蓄光性を有する蓄光剤とは、光源からの紫外線を吸収して暗所において徐々に燐光を放出する材料をいう。蓄光剤としては、例えば、アルミナ系酸化物などの無機顔料が知られている。この蓄光剤を含有する物体はこの蓄光性により燐光輝度(ｃｄ／ｍ2)を有する。
【０００３】
また、蛍光とは、物質にＸ線、紫外線、可視光線が照射されるとそのエネルギを吸収することで電子が励起され、それが基底状態に戻る際に余分なエネルギを放出する特性をいう。従って、蛍光顔料の蛍光は照射が絶たれると発光も消滅する。この蛍光顔料を含有する物体は蛍光顔料が有する蛍光性により輝度(ｃｄ／ｍ2)を有する。
【０００４】
さらに、ブラックライトとは、長波長の紫外線を放射するライトをいう。すなわち、一般的な蛍光灯の蛍光管に波長４００ｎｍ以上の可視光線をカットする深い青紫のガラスを使用したライトである。蓄光剤はこのブラックライトが照射するとその紫外線により蓄光性を発揮する。また、蛍光顔料もこのブラックライトが照射する紫外線により蛍光性を発揮する。
【０００５】
特許文献１には、キャンドルスタンドが開示されている。ここでは、キャンドルスタンド本体に蓄光剤と蛍光顔料を混入させ、蓄光剤が太陽や照明光を蓄え、暗所で長時間発光し続けると共に、蛍光顔料によって色彩が鮮やかな光を放つことが記載されている。
【先行技術文献】
【特許文献】
【０００６】
【特許文献１】特開平１１−１６２２５１号公報
【発明の概要】
【発明が解決しようとする課題】
【０００７】
蓄光剤又は蛍光顔料を含有した発光体は、蓄光剤や蛍光顔料が有する蓄光性や蛍光性といった特性を有効に生かして装飾的な効果が期待できるが、それらの特性を生かした発光体あるいは発光体群が創出されていないという問題がある。
【０００８】
また、蓄光剤又は蛍光顔料が照明の点灯や消滅によりそれらの輝度が変化する特性を生かした発光体あるいは発光体群が創出されていないという問題がある。
【０００９】
本願の目的は、かかる課題を解決し、含有する材料による輝度の相違、及び照明の点灯や消滅による輝度の変化を活用して装飾的な効果を生じさせる蓄光剤及び蛍光顔料を含有した発光体、及び発光体から構成される発光体群を提供することである。
【課題を解決するための手段】
【００１０】
上記目的を達成するため、本発明に係る蓄光剤及び蛍光顔料を含有した発光体から構成される発光体群は、第１の樹脂に蓄光剤及び蛍光顔料を含有させた第１の発光体と、第２の樹脂に蓄光剤のみを含有させた第２の発光体と、を含み、各発光体が集合して発光体群を構成し、暗所において、発光体群は、紫外線を放射するブラックライトにより照射され、ブラックライトが点灯している際には、第１の発光体が第２の発光体よりも高い輝度で発光し、ブラックライトが消灯されると、第１の発光体と第２の発光体との輝度が略同じとなることを特徴とする。
【００１１】
上記構成により、蓄光剤及び蛍光顔料を含有した発光体から構成される発光体群は、ブラックライトが点灯している際には、輝度の異なる発光体から構成され、ブラックライトが消灯されると、略同じ輝度で発光する発光体から構成され、この輝度の相違により発光体群に装飾的な効果を生じさせることができる。
【００１２】
また、蓄光剤及び蛍光顔料を含有した発光体から構成される発光体群は、第３の樹脂に蛍光顔料のみを含有させた第３の発光体を含み、第３の発光体が、暗所において、紫外線を放射するブラックライトにより照射され、ブラックライトが点灯している際には、第１の発光体と第２の発光体との中間の輝度で発光し、ブラックライトが消灯されると発光が消滅することが好ましい。これにより、上述した発光体の輝度のバリエーションを増すことができ、より発光体群に装飾的な効果を生じさせることができる。
【００１３】
また、蓄光剤及び蛍光顔料を含有した発光体から構成される発光体群は、発光体群を構成する発光体が、それぞれブロックとして平面的又は立体的に組み立てられることが好ましい。これにより、異なる輝度で発光する発光体をブロックとして幾何学的に組み合わされた発光体群を構成することができる。
【００１４】
また、蓄光剤及び蛍光顔料を含有した発光体から構成される発光体群は、第１の発光体が、第１の樹脂に蓄光剤を略均一に混入させた後に蛍光顔料を添加し、紫外線を放射するブラックライトを照射した際に、輝度の差異による模様を現出させることが好ましい。これにより、例えば、渦状に形成された模様を有する第１の発光体が、他の発光体と異なる輝度で発光し、発光体群に多様な装飾的な効果を生じさせることができる。
【００１５】
また、上記目的を達成するため、本発明に係る蓄光剤及び蛍光顔料を含有した発光体は、第１の樹脂に蓄光剤及び蛍光顔料を含有させた第１の発光体要素と、第２の樹脂に蓄光剤のみを含有させた第２の発光体要素と、を含み、各発光体要素が一体として１つの発光体を形成し、暗所において、発光体は、紫外線を放射するブラックライトにより照射され、ブラックライトが点灯している際には、第１の発光体要素が第２の発光体要素よりも高い輝度で発光し、ブラックライトが消灯されると、第１の発光体要素と第２の発光体要素との輝度が略同じとなることを特徴とする。
【００１６】
上記構成により、蓄光剤及び蛍光顔料を含有した発光体から構成される発光体は、ブラックライトが点灯している際には、輝度の異なる発光体要素から構成され、ブラックライトが消灯されると、略同じ輝度で発光する発光体要素から構成され、この輝度の相違により発光体に装飾的な効果を生じさせることができる。
【００１７】
また、蓄光剤及び蛍光顔料を含有した発光体は，第３の樹脂に蛍光顔料のみを含有させた第３の発光体要素を含み、第３の発光体要素が、暗所において、紫外線を放射するブラックライトにより照射され、ブラックライトが点灯している際には、第１の発光体要素と第２の発光体要素との中間の輝度で発光し、ブラックライトが消灯されると発光が消滅することが好ましい。これにより、上述した発光体要素の輝度のバリエーションを増すことができ、より発光体に装飾的な効果を生じさせることができる。
【００１８】
また、蓄光剤及び蛍光顔料を含有した発光体は，各発光体要素が、層状に積重ねられ、一体として１つの発光体を形成することが好ましい。これにより、層状に積重ねられた発光体要素が異なる輝度で発光し、発光体に幾何学的な装飾的効果を生じさせることができる。
【００１９】
また、蓄光剤及び蛍光顔料を含有した発光体は，第１の発光体要素が、第１の樹脂に蓄光剤を略均一に混入させた後に蛍光顔料を添加し、紫外線を放射するブラックライトを照射した際に、第１の発光体要素に輝度の差異による模様を現出させることが好ましい。これにより、例えば、渦状に形成された第１の発光体要素が、他の発光体要素と異なる輝度で発光し、発光体に多様な装飾的な効果を生じさせることができる。
【発明の効果】
【００２０】
以上のように、本発明に係る蓄光剤及び蛍光顔料を含有した発光体、及び発光体から構成される発光体群によれば、含有する材料による輝度の相違、及び照明の点灯や消滅による輝度の変化を活用して装飾的な効果を生じさせる蓄光剤及び蛍光顔料を含有した発光体、及び発光体から構成される発光体群を提供することができる。
【図面の簡単な説明】
【００２１】
【図１】本発明に係る蓄光剤及び蛍光顔料を含有した発光体から構成される発光体群の１つの実施形態の概略構成を示す平面図及び説明図である。
【図２】第１発光体において輝度の差異により模様を現出させた発光体群の実施例を示す透視図である。
【図３】本発明に係る蓄光剤及び蛍光顔料を含有した発光体の１つの実施形態の概略構成を示す平面図及び説明図である。
【図４】第１発光体要素において輝度の差異により模様を現出させた発光体の実施例を示す透視図である。
【発明を実施するための形態】
【００２２】
（蓄光剤及び蛍光顔料を含有した発光体で構成された発光体群の実施形態）
以下に、図面を用いて本発明に係る蓄光剤及び蛍光顔料を含有した発光体から構成される発光体群の実施形態につき、詳細に説明する。
【００２３】
図１には、蓄光剤８及び蛍光顔料９を含有した発光体２０から構成される発光体群１の１つの実施形態の概略構成を平面図及び説明図で示す。図１(ａ)には、水槽１０内に配置された発光体群１を平面図で示し、図１(ｂ)には、第１発光体２，第２発光体３，及び第３発光体４の構成をそれぞれ説明図で示す。なお、図１(ｂ)及び後述する図２では、説明のため各発光体２，３，４内に小丸により蓄光剤８が含有されていることを示し、黒丸により蛍光顔料９が含有されていることを示すが、実際には各発光体２，３，４内には蓄光剤８及び蛍光顔料９は目視できない。
【００２４】
本実施形態では、発光体２０から構成される発光体群１は、熱帯魚を収納する水槽１０内に設置される場合について説明するが、水槽１０内への収納に限らず、例えば、室内のインテリアとしての設置、展示場の装飾ディスプレイとしての設置など種々の用途に適用される。また、本実施形態では、発光体群１を構成する発光体２０はそれぞれ立方体のブロックとするが、これに限らず、例えば、球形、棒状、平板状など任意の形状であっても良い。さらに、発光体２０は接続棒１３により相互に接続されて立体的に組み立てられた発光体群１を構成するが、発光体群１の構成はこれに限らず、例えば、接続棒１３を使用せずに発光体２０を積重ねた構成などであっても良い。
【００２５】
本実施形態では、発光体群１は、第１発光体２、第２発光体３、及び第３発光体４から構成される。第１発光体２は、第１樹脂５に蓄光剤８及び蛍光顔料９を含有させたブロックである。第２発光体３は、第２樹脂６に蓄光剤８のみを含有させたブロックである。また、第３発光体４は、第３樹脂７に粉体状の蛍光顔料９のみを含有させたブロックである。第１発光体２、第２発光体３、及び第３発光体４は、それぞれ独立して発光体群１を構成する。ここで、第１樹脂５、第２樹脂６、及び第３樹脂７は、例えば、エポキシ、ウレタン、シリコンなどの合成樹脂のなかからその特性を生かして選択される。なお、各樹脂５，６，７は同一の合成樹脂であっても良い。蓄光剤８及び蛍光顔料９は、原則として粉体の状態で各樹脂５，６，７に混入され、樹脂５，６，７は、型に流し込まれて成形される。
【００２６】
発光体群１は、暗所、例えば夜間で他に照明がない室内において紫外線を放射するブラックライト１１により照射される。ブラックライト１１が点灯している際には、第１発光体２が第２発光体３よりも高い輝度で発光する。また、第３発光体４は、第１発光体２と第２発光体３との中間の輝度で発光する。これは、蓄光剤８及び蛍光顔料９を含有する第１発光体２は、ブラックライト１１から放射された紫外線に対して双方が発光するため、輝度が累積されて高い値となる。また、第２発光体３は、蓄光剤８のみ含有するため第１発光体２と比較して輝度は低い値となる。さらに、第３発光体４は、蛍光顔料９のみを含有するが、蛍光顔料９のほうが蓄光剤８よりも輝度が高いため第１発光体２と第２発光体３との中間の輝度で発光する。
【００２７】
ブラックライト１１が消灯されると、第１発光体２と第２発光体３との輝度が略同じとなる。すなわち、第１発光体２に含有された蛍光顔料９はほとんど蓄光性を有さず、ブラックライト１１が消灯されると発光も消滅し、第１発光体２と第２発光体３とは、どちらも含有された蓄光剤８によってのみ燐光輝度が生じることによる。また、第３発光体４は、ブラックライト１１が消灯されると発光が消滅する。これは、第３発光体４に含有された蛍光顔料９は、ほとんど蓄光性を有さず、ブラックライト１１が消灯されると発光も消滅することによる。
【００２８】
このように、蓄光剤８及び蛍光顔料９を含有した発光体２０から構成される発光体群１は、ブラックライト１１が点灯している際には、輝度の異なる発光体２，３，４から構成される。また、ブラックライト１１が消灯されると、略同じ輝度で発光する発光体２と発光体３、及び輝度が消滅する発光体４から構成され、この輝度の違いにより発光体群１に装飾的な効果を生じさせることが可能となる。
【００２９】
図２に、第１発光体２において輝度の差異により模様を現出させた実施例を示す。第１発光体２は、第１樹脂５に蓄光剤８を略均一に混入させた後に蛍光顔料９を添加する。このとき、第１樹脂５に蛍光顔料９を略均一に混入させずに添加させると、その添加した形跡が模様となる。そして、紫外線を放射するブラックライト１１を照射した際に、輝度の差異による模様が現出される。例えば、図２に示すように、第１樹脂５に蛍光顔料９を渦状に添加すると、その渦の形跡が渦模様１４となり、紫外線を放射するブラックライト１１を照射した際に、輝度の差異により渦模様１４が現出する。この模様は、渦模様１４に限らず、例えば、マーブル（大理石）の模様や、木目模様など多様な模様が現出可能である。
【００３０】
（蓄光剤及び蛍光顔料を含有した発光体の実施形態）
以下に、図面を用いて本発明に係る蓄光剤８及び蛍光顔料９を含有した発光体２０の実施形態につき、詳細に説明する。図３には、蓄光剤８及び蛍光顔料９を含有した発光体２０の１つの実施形態の概略構成を平面図及び説明図で示す。図３(ａ)には、水槽１０内に配置された発光体２０を平面図で示し、図３(ｂ)には、１つの発光体２０を構成する第１発光体要素２１，第２発光体要素２２，第３発光体要素２３をそれぞれ説明図で示す。なお、図３(ｂ)、及び後述する図４では、説明のため各発光体要素２１，２２，２３内に小丸により蓄光剤８が含有されていることを示し、黒丸により蛍光顔料９が含有されていることを示すが、実際には各発光体要素２１，２２，２３内には蓄光剤８及び蛍光顔料９は目視できない。
【００３１】
本実施形態では、発光体２０は、熱帯魚を収納する水槽１０内に設置される場合について説明するが、水槽１０内への収納に限らず、例えば、室内のインテリアとしての設置、展示場の装飾ディスプレイとしての設置など種々の用途に適用される。また、本実施形態では、発光体２０はそれぞれ立方体のブロックであるが、これに限らず、例えば、球形、棒状、平板状など任意の形状であっても良い。さらに、発光体２０は支持棒２８により自立する構成であるが、発光体２０の構成はこれに限らず、例えば、支持棒２８によらず発光体２０を積重ねた構成などであっても良い。
【００３２】
本実施形態では、発光体２０は、第１発光体要素２１、第２発光体要素２２、及び第３発光体要素２３から構成される。第１発光体要素２１は、第１樹脂２５に蓄光剤８及び蛍光顔料９を含有させた要素である。第２発光体要素２２は、第２樹脂２６に蓄光剤８のみを含有させた要素である。また、第３発光体要素２３は、第３樹脂２７に粉体状の蛍光顔料９のみを含有させた要素である。第１発光体要素２１、第２発光体要素２２、及び第３発光体要素２３は、それぞれ積層されて一体となって発光体２０を構成する。ここで、第１樹脂２５、第２樹脂２６、及び第３樹脂２７は、例えば、エポキシ、ウレタン、シリコンなどの合成樹脂のなかからその特性を生かして選択される。なお、各樹脂２５，２６，２７は同一の合成樹脂であっても良い。蓄光剤８及び蛍光顔料９は、原則として粉体の状態で各樹脂２５，２６，２７に混入されて型に流し込まれて発光体２０として成形される。
【００３３】
発光体２０は、暗所、例えば夜間で他に照明がない室内において紫外線を放射するブラックライト１１により照射される。ブラックライト１１が点灯している際には、第１発光体要素２１が第２発光体要素２２よりも高い輝度で発光する。また、第３発光体要素２３は、第１発光体要素２１と第２発光体要素２２との中間の輝度で発光する。これは、蓄光剤８及び蛍光顔料９を含有する第１発光体要素２１は、ブラックライト１１から放射された紫外線に対して双方が発光するため、輝度が累積されて高い値となる。また、第２発光体要素２２は、蓄光剤８のみ含有するため第１発光体要素２１と比較して輝度は低い値となる。さらに、第３発光体要素２３は、蛍光顔料９のみを含有するが、蛍光顔料９のほうが蓄光剤８よりも輝度が高いため第１発光体要素２１と第２発光体要素２２との中間の輝度で発光する。
【００３４】
ブラックライト１１が消灯されると、第１発光体要素２１と第２発光体要素２２との輝度が略同じとなる。すなわち、第１発光体要素２１に含有された蛍光顔料９はほとんど蓄光性を有さず、ブラックライト１１が消灯されると発光も消滅し、第１発光体要素２１と第２発光体要素２２とは、どちらも含有された蓄光剤８によってのみ燐光輝度が生じることによる。また、第３発光体要素２３は、ブラックライト１１が消灯されると発光が消滅する。これは、第３発光体要素２３に含有された蛍光顔料９は、ほとんど蓄光性を有さず、ブラックライト１１が消灯されると発光も消滅することによる。
【００３５】
図４に、第１発光体要素２１において輝度の差異により模様を現出させた実施例を示す。第１発光体要素２１は、第１樹脂２５に蓄光剤８を略均一に混入させた後に蛍光顔料９を添加する。このとき、第１樹脂２５に蛍光顔料９を略均一に混入させずに添加させると、その添加した形跡が模様となる。そして、紫外線を放射するブラックライト１１を照射した際に、輝度の差異による模様が現出される。例えば、図４に示すように、第１樹脂２５に蛍光顔料９を渦状に添加すると、その渦の形跡が模様となり、紫外線を放射するブラックライト１１を照射した際に、輝度の差異により渦模様２４が現出する。この模様は、渦模様２４に限らず、例えば、マーブル（大理石）の模様や、木目模様など多様な模様が現出可能である。
【００３６】
このように、蓄光剤８及び蛍光顔料９を含有した発光体２０は、ブラックライト１１が点灯している際には、輝度の異なる発光体要素２１，２２，２３から構成される。また、ブラックライト１１が消灯されると、略同じ輝度で発光する発光体要素２１と発光体要素２２、及び輝度が消滅する発光体要素２３から構成され、この輝度の違いにより発光体２０に装飾的な効果を生じさせることが可能となる。
【符号の説明】
【００３７】
１  （蓄光剤及び蛍光顔料を含有した発光体から構成される）発光体群、２  第１発光体、３  第２発光体、４  第３発光体、５，２５  第１樹脂、６，２６  第２樹脂、７，２７  第３樹脂、８  蓄光剤、９  蛍光顔料、１０  水槽、１１  ブラックライト、１３  接続棒、１４，２４  渦模様、２０  （蓄光剤及び蛍光顔料を含有した）発光体、２１  第１発光体要素、２２  第２発光体要素、２３  第３発光体要素、２８  支持棒。
【図１】
2011096591.tif 000003
【図２】
2011096591.tif 000004
【図３】
2011096591.tif 000005
【図４】
2011096591.tif 000006